(57)【要約】【課題】紙様体の収納箱の使い初めの頃に紙様体を破ることなく取り出し易くする事にある。更には紙様体の収納箱を横長に９０°倒して使ったり，取出し口を下に向けて使っても、紙様体が破れることなくスムーズに取り出せる様にすること。【解決手段】ティッシュペーパーの様な紙様体の収納箱１を使用している段階において収納箱１の取り出し口５を有する箱面２に注目し、取出し口５から箱面２の縁又はその近傍まで延びる幅がほぼ０又は所定の幅を有する切り込み４′が複数本形成されており、これにより取出し口５の周囲が箱面２と垂直方向に自由に動ける様にした。【選択図】図１
2011136751.tif 000002
【特許請求の範囲】
【請求項１】
ティッシュペーパーの様な紙様体を一部が互いに重なる様に折り畳んで収納し、紙様体の１枚を取出し口から取り出すと次の１枚の一部が取り出し口から顔を出して待機している様にした紙様体の収納箱であって、前記収納箱を使用している段階において収納箱の取出し口を有する箱面に注目し、前記取出し口から前記箱面の縁又はその近傍まで延びる幅がほぼ０又は所定の幅を有する切り込みが複数本形成されており、これにより前記取出し口の周囲が前記箱面と垂直方向に自由に動ける様にした事を特徴とする紙様体の収納箱。
【請求項２】
切り込みが，取り出し口を有する箱面の縁の角部又はその近傍まびている様にした請求項１記載の紙様体の収納箱。
【発明の詳細な説明】
【技術分野】
【０００１】  本発明はティッシュペーパー，ポリ袋などの紙様体（紙の様に薄いもの）を収納する為の収納箱に係わり、この収納箱から紙様体を取り出し易くしたものに関する。
【背景技術】
【０００２】  ティッシュペーパー，キッチンペーパー，ポリ袋などの紙様体（紙の様に薄いもの）を一部が互いに重なる様に折り畳んで収納した収納箱は、１枚を取り出すと次の１枚の一部が取り出し口から顔を出して待機している様に構成されている。しかしながらこの収納箱の使い初めの頃は，紙様体（ティッシュペーパーを例に採ると理解し易い）が圧縮されて収納されている為、１枚１枚取り出し難く，破れる事がある。又、この収納箱は通常は取出し口を上にして使うが、横長に９０°倒して使ったり，取出し口を下に向けて使ったりすると取出し口で紙様体が互いに強く密着し合って、その摩擦により取り出せない。
【発明が解決しようとする課題】
【０００３】  本発明の目的は，紙様体の収納箱の使い初めの頃に紙様体を破れる事なく取り出し易くすることにある。更には紙様体の収納箱を横長に９０°倒して使ったり，取出し口を下に向けて使っても、紙様体が破れる事なくスムーズに取り出せる様にするところにある。
【問題点を解決する為の手段】
【０００４】  紙様体を一部が互いに重なる様に折り畳んで収納し、紙様体の１枚を取り出し口から取り出すと次の一枚の一部が取出し口から顔を出して待機している様にした収納箱であって、収納箱を使用している段階において収納箱の取出し口を有する箱面に注目し、取出し口から箱面の縁又はその近傍まで延びる幅がほぼ０又は所定の幅を有する切り込みが複数本形成されており、これにより取出し口の周囲が箱面と垂直方向に自由に動ける様にした。
【発明の効果】
【０００５】  本発明によれば，収納箱の取出し口を有する箱面に注目し、前記取出し口から前記箱面の縁又はその近傍まで延びる切り込みが複数本形成されており、これにより前記取出し口の周囲が前記箱面と垂直方向に自由に動ける様になるので、取出し口では紙様体の互いに密着し合う力が弱まり、摩擦が急減する為、１枚１枚取り出し易くなる。又、同様の理由により収納箱を横長に９０°倒して使ったり（取り出し口を横に向ける），取出し口を下に向けて使っても（その様に使った方が便利なことがある）、１枚１枚スムーズに取り出す事ができる。取出し口を下に向けて使えばティッシュペーパーを片手で取り出す事ができる。
【発明を実施する為の形態】
【０００６】  図１は本発明による紙様体の収納箱を示し、先ず図１（イ）において１は紙様体の収納箱（通常は紙製）を示し、使用前の段階では取出し口を有する箱面２にはミシン目３，及びミシン目３から箱面２の縁又はその近傍まで延びるミシン目４が複数本（図では４本）形成されている。この収納箱１には紙様体（例えばティッシュペーパー）を一部が互いに重なり合う様に折り畳んで多数枚収納されている。そこでミシン目３を破ると図１（ロ）の如く紙様体を取り出す取出し口５が表われ、この取出し口５には取出しスリット７を有するフィルム６が貼られている（図１（ロ）は収納箱１を上方から見た図である）。次にミシン目４を破った図を図１（ハ）に示してあるが、これにより取出し口５の周囲が箱面２と垂直方向に弱い力でも自由に動ける様になる（ミシン目４を破ると切り込み４′となるが、この切り込み４′がなければ取出し口５の周囲は自由には動かない）。以上により取出し口５では紙様体の互いに密着し合う力が弱まり、摩擦が急減する為、１枚１枚取り出し易くなる。
同様の理由により収納箱１を横に９０°倒して使ったり、取出し口５を下に向けて使っても（図４（ロ）参照）、１枚１枚スムーズに取り出す事ができるのである。図１（ハ）において取出し口５の長手方向端部は逆Ｖ字形に各々形成され、この部分の頂点から切り込み４′が各々箱面２の縁の角部の近傍まで延びている（取出し口５の長手方向端部の逆Ｖ字を反対方向へ延長する様に延びている）。取出し口５が略長方形（長方形も含む）である場合の切り込み４′の形成の仕方を図２（ハ）に示す。この場合，隣り合う切り込み４′はＶ字形を呈するが、図２（ニ）の如くＹ字形も考えられる。図１（ハ），図２（ハ），図２（ニ）によればフィルム６は一般には箱面２の裏側で糊付けされているが、この糊付け部が切り込み４′により切られても，めくれず取出し口５をしっかりと覆っている。図１（ハ）において切り込み４′に関しては幅はほぼ０のものであるが、図３（イ）の様に所定の幅を有する切り込みでも良い（従ってミシン目もその様な所定の幅を与えるミシン目とする），図１（ハ）における切り込み４′は取出し口を有する箱面２の縁の角部の近傍まで延びているものである。
次に図２（イ）に示す収納箱（図１（イ）を上方から見た図に相当する図である）は図１（イ）のミシン目４を切り込み８としたものであり（最初から切り込み）、図２（ロ）に示す収納箱は図１（イ）のミシン目４を印刷線９にしたものである。印刷線９は切り込みではなく、箱面２に印刷された線であり、従って収納箱を使用するに当っては鋏みで印刷線９をその通りに切って、図１（ハ）の切り込み４′を作るのである。図２（ホ）は取出し口５が長方形のものにおいて、切り込み４′が取り出し口５の角部から箱面２の縁の角部の近傍まで延びる様にしたものである。この場合、図２（ヘ）は図１（ホ）の箱面２を裏側から見た図に相当するものであるが、フィルム６の長手方向の両側でのみ粘付部１０で糊付けする様にすれば、取出し口５の周囲は自由に動ける様になる。図２（ト）に示す収納箱は図１（ハ）において取出し口５の幅を狭めた（但し、中央部は使い初めに蓋を開けて指を入れ、紙様体を摘み易い様にする為、幅を広くしてある）ものに相当するものである。これによりフィルム６は不要とする事ができる。図１（ハ）では切り込み４′は取出し口５を有する箱面２の縁の角部の近傍まで延びるものであったが、単純に箱面２の縁の近傍まで延びる様にしたのものを図３（ロ）に示す。図３（ロ）では切り込みは６本あるが、取出し口５の長手方向両端部が箱面２の縁の近傍まで広がる様にすれば図３（ハ）の如く４本で良い。図３（ニ）は取出し口５をその周囲が箱面２の縁の近傍まで届く様に拡大すると共に、フィルム６に取出しスリット７と直角に切り込み１１を形成したものである。これにより取出し口５では紙様体の互いに密着し合う力が弱まり、摩擦が急減する為、１枚１枚取り出し易くなるのである。ところで本発明による収納箱では取出し口を下に向けて使用しても紙様体を１枚１枚スムーズに取り出せるものであるが、図４（イ）は取出し口を下に向けて収納箱を保持する為のホルダーを示すものである（薄い厚さのプラスッチック製とするのが良い）。即ち，図４（イ）において１２はそのホルダーを示し、１３は収納箱１が落ちない様にする為の支え部材で、底の周囲に狭い幅で形成されている。１４はフックなどに掛けて収納箱を吊す為の紐である。以上のホルダー１２に収納箱１を取り出し口を下に向けて入れ、紐１４をフックに掛けて吊した状態を図４（ロ）に示す。ところで一般には、収納箱は図４（ハ）の如く数個をまとめてパッケージして販売するが、この場合，ホルダー１２は一番上の収納箱に被せる様にすると、全体の高さの増加がなく，コンパクトになる。
【０００７】  図５は紙様体の収納箱を紙製ではなく，プラスチック製，金属製（ステンレス等），木製などとしたものを示し（容易に変形するものでない材料製）、図５（イ），（ロ）の収納箱には図５（ハ）の紙様体（ティッシュなど）が収納されている。これらの収納箱は取出し口１５を有する箱面１６の周囲の縁よりも取出し口１５の周囲の方が突出した形状となる様に構成されており、その為、図５（イ）では箱面１６は屋根形に形成されている（図５（イ）では箱面１６は取出し口１５に向かって順次突出しており、図５（ロ）では段付きで突出しているものである）。こうすると取出し口１５では取出し口１５と紙様体との間に空間ができ（従来では箱面１６は平面故、この空間はできない）、紙様体の互いに密着し合う力が弱まり、摩擦が急減する為、１枚１枚取り出し易くなる。同様の理由により取出し口１５を下に向けて収納箱を使用しても，紙様体を１枚１枚スムーズに取り出す事ができる。１７は収納箱をフックなどに掛けて吊す紐，１８は蓋である。紙様体のみを取り替えて収納箱を何回も使う為、省資源・低コストである。
【０００８】  尚、図１（ハ）では取出し口５の周囲は切り込み４′により弱い力でも自由に動けるが、図３（ホ）の様に切り込み４′の先端を互いに結ぶ押圧線１９（押圧して厚さを薄くした線。切り込みではない）を形成すれば，更に弱い力でも自由に動ける様になり、よりスムーズに紙様体を１枚１枚取り出す事ができる。押圧線１９に沿って軽く折り曲げて使用しても良い。
【図面の簡単な説明】
【図１】  本発明による紙様体の収納箱を示す図。
【図２】  本発明による紙様体の収納箱の各種実施例を示す図。
【図３】  本発明による紙様体の収納箱の各種実施例を示す図。
【図４】  収納箱を保持するホルダーの図。
【図５】  紙の様に容易に変形する材料でない材料製の収納箱を示す図。
【符号の説明】  １は紙様体の収納箱，２は取出し口を有する箱面，３・４はミシン目，５は取出し口，６はフィルム，７は取出しスリット，４′・８・１１は切込み，９は印刷線，１０は糊付け部，１２はホルダー，１３は支え部材，１４は紐，１５は取出し口，１６は箱面，１７は紐，１８は蓋，１９は押圧線である。
【図１】
2011136751.tif 000003
【図２】
2011136751.tif 000004
【図３】
2011136751.tif 000005
【図４】
2011136751.tif 000006
【図５】
2011136751.tif 000007